(57)【要約】【課題】ユーザーが洗浄槽内の内視鏡と蓋部の接触を容易に知ることができ、内視鏡と蓋部の接触を確実に防止して内視鏡を洗浄槽内に接液して十分な洗浄消毒を行う。【解決手段】内視鏡洗浄消毒装置１は、装置本体２と上部に開閉自在に接続された蓋部４とにより構成され、装置本体上面２ａには、その底面５ａに洗浄消毒のために内視鏡９０を載置して収納自在で、蓋部４を開閉することにより開閉される槽型の洗浄槽５が配設されている。洗浄槽５と蓋部４との接触圧を検知する接触圧検知部が接触センサ１１１として設けられ、制御回路６３は、接触センサ１１１で検知した接触圧力に基づいて、洗浄槽５に配置した内視鏡９０と蓋部４との接触を判断する。制御回路６３が、内視鏡９０と蓋部４とが接触していると判断した場合は、操作パネル９上に内視鏡９０と蓋部４との接触を報知する表示を行ったり、又は、聴覚的な報知手段を作動させる。【選択図】図７
2013103017.tif 000002
【特許請求の範囲】
【請求項１】
底面に内視鏡を載置自在な槽型の洗浄槽と、
上記洗浄槽に薬液を供給する薬液供給部と、
上記洗浄槽を覆う蓋部と、
上記洗浄槽に配置した内視鏡が上記蓋部の内面に接触していることを検知する接触検知部と、
を備えたことを特徴とする内視鏡洗浄消毒装置。
【請求項２】
上記接触検知部は、少なくとも、上記洗浄槽と上記蓋部との接触圧を検知する接触圧検知部を備えたことを特徴とする請求項１記載の内視鏡洗浄消毒装置。
【請求項３】
上記接触検知部は、少なくとも、上記洗浄槽の上記蓋部側部位と上記蓋部のどちらか一方に配置されて電磁波を送信する電磁波送信部と、該電磁波送信部に略対向して上記蓋部側部位と上記蓋部のどちらか一方に配置され、上記電磁波送信部から送信された電磁波を受信する電磁波受信部とを備えたことを特徴とする請求項１又は請求項２記載の内視鏡洗浄消毒装置。
【請求項４】
上記接触検知部は、少なくとも、上記蓋部の歪みを検知する歪み検知部を備えたことを特徴とする請求項１乃至請求項３の何れか一つに記載の内視鏡洗浄消毒装置。
【請求項５】
上記接触検知部は、少なくとも、上記蓋部の内面に加わる圧力を検出する圧力検知部を備えたことを特徴とする請求項１乃至請求項４の何れか一つに記載の内視鏡洗浄消毒装置。
【請求項６】
上記接触検知部により上記洗浄槽に配置された内視鏡が上記蓋部の内面に接触していることが検知された場合には、該接触していることを報知する報知手段を備えたことを特徴とする請求項１乃至請求項５の何れか一つに記載の内視鏡洗浄消毒装置。
【請求項７】
上記接触検知部により上記洗浄槽に配置された内視鏡が上記蓋部の内面に接触していることが検知された場合には、洗浄消毒工程開始の操作を受け付けなくすることと上記蓋部の上記洗浄増への閉操作を行えなくすることの少なくとも一方を行うことを特徴とする請求項１乃至請求項６の何れか一つに記載の内視鏡洗浄消毒装置。
【発明の詳細な説明】
【技術分野】
【０００１】
本発明は、洗浄槽内に内視鏡を蓋部を閉じて収容して洗浄消毒する内視鏡洗浄消毒装置に関する。
【背景技術】
【０００２】
従来より、医療分野において使用される内視鏡は、内視鏡検査を行う毎に内視鏡洗浄消毒装置により洗浄、消毒が行われる。このような内視鏡洗浄消毒装置は、洗浄槽内に内視鏡を蓋部を閉じて収容して洗浄消毒するようになっており、洗浄槽内に収容された内視鏡は、できるだけ他と接触することなく洗浄液、消毒液と接触することが好ましい。しかし、洗浄槽への内視鏡の収容の仕方によっては、洗浄槽の蓋部の内面に内視鏡が接してしまい、内視鏡の洗浄消毒が十分に行われなくなる虞があるため、ユーザーは、収容された内視鏡が蓋部の内面に接することのないように確認・作業する必要があった。例えば、特開２００９−２２５８１３号公報（以下、特許文献１）では、消毒液供給ノズルと洗浄槽の一部とを覆うノズルカバー部と、該ノズルカバー部に接する側が高くなるように傾斜されて内視鏡と点状に接触する複数の上面突起が設けられ、洗浄槽に嵌合して洗浄槽内に貯えられている消毒液に接する接液面を有するトップカバー（蓋部）を備え、接液面の下に滞留している気泡を、上面突起と内視鏡との間に生じた空間を利用して、自身の浮力によりノズルカバー部に移動させるようにした内視鏡洗浄消毒装置の技術が開示されている。
【先行技術文献】
【特許文献】
【０００３】
【特許文献１】特開２００９−２２５８１３号公報
【発明の概要】
【発明が解決しようとする課題】
【０００４】
ところで、洗浄消毒を行う内視鏡は、洗浄槽内に蓋部と接することなく接液されていれば、蓋部と内視鏡との間に気泡が溜まって、洗浄消毒の妨げになることもなく、また、蓋部と内視鏡との接触部に洗浄、消毒液が廻り難いという問題も改善される。上述の特許文献１では、収容される内視鏡と蓋部とがあくまでも接触（点状接触ではあるものの）しても洗浄消毒を行うという技術であるため、内視鏡と蓋部とが接する部分で洗浄消毒が十分に行えなくなる虞がある。また、内視鏡と蓋部とが接触することにより、内視鏡や蓋部に余分な応力を生じ、こうした状況で洗浄・消毒を行うことは、好ましくない。
【０００５】
本発明は上記事情に鑑みてなされたもので、ユーザーが洗浄槽内の内視鏡と蓋部との接触を容易に知ることができ、内視鏡と蓋部とが接触することを確実に防止して内視鏡を洗浄槽内に接液して十分な洗浄消毒を行うことが可能な内視鏡洗浄消毒装置を提供することを目的としている。
【課題を解決するための手段】
【０００６】
本発明の内視鏡洗浄消毒装置の一態様は、底面に内視鏡を載置自在な槽型の洗浄槽と、上記洗浄槽に薬液を供給する薬液供給部と、上記洗浄槽を覆う蓋部と、上記洗浄槽に配置した内視鏡が上記蓋部の内面に接触していることを検知する接触検知部とを備えた。
【発明の効果】
【０００７】
本発明による内視鏡洗浄消毒装置によれば、ユーザーが洗浄槽内の内視鏡と蓋部との接触を容易に知ることができ、内視鏡と蓋部とが接触することを確実に防止して内視鏡を洗浄槽内に接液して十分な洗浄消毒を行うことが可能となる。
【図面の簡単な説明】
【０００８】
【図１】本発明の実施の第１形態による、内視鏡洗浄消毒装置の斜視図である。
【図２】本発明の実施の第１形態による、内視鏡が洗浄槽内に蓋部と接触するように載置された状態での内視鏡洗浄消毒装置の斜視図である。
【図３】本発明の実施の第１形態による、内視鏡洗浄消毒装置の機能部分の構成の概略説明図である。
【図４】本発明の実施の第１形態による、内視鏡洗浄消毒装置の内部回路の構成の概略を示すブロック図である。
【図５】本発明の実施の第１形態による、蓋部を開状態とした際の洗浄槽と蓋部の構造の概略を説明する、図１中のＸ方向断面図である。
【図６】本発明の実施の第１形態による、蓋部のロック機構の構成を説明する要部断面図である。
【図７】本発明の実施の第１形態による、内視鏡を洗浄槽に載置して蓋部を閉じた状態の断面説明図であり、図７（ａ）は内視鏡が蓋部と接することなく蓋部を閉状態とした際の断面説明図で、図７（ｂ）は内視鏡が蓋部と接した状態で蓋部を閉状態とした際の断面説明図である。
【図８】本発明の実施の第１形態による、内視鏡の操作パネルの表示部の説明図であり、図８（ａ）は通常の表示部を示し、図８（ｂ）は内視鏡が蓋部と接した状態を表示する一例を示し、図８（ｃ）は内視鏡が蓋部と接した状態を表示する図８（ｂ）とは異なる表示の一例を示す。
【図９】本発明の実施の第２形態による、内視鏡を洗浄槽に載置して蓋部を閉じた状態の断面説明図であり、図９（ａ）は内視鏡が蓋部と接することなく蓋部を閉状態とした際の断面説明図で、図９（ｂ）は内視鏡が蓋部と接した状態で蓋部を閉状態とした際の断面説明図である。
【図１０】本発明の実施の第３形態による、内視鏡を洗浄槽に載置して蓋部を閉じた状態の断面説明図であり、図１０（ａ）は内視鏡が蓋部と接することなく蓋部を閉状態とした際の断面説明図で、図１０（ｂ）は内視鏡が蓋部と接した状態で蓋部を閉状態とした際の断面説明図である。
【図１１】本発明の実施の第４形態による、内視鏡を洗浄槽に載置して蓋部を閉じた状態の断面説明図であり、図１１（ａ）は内視鏡が蓋部と接することなく蓋部を閉状態とした際の断面説明図で、図１１（ｂ）は内視鏡が蓋部と接した状態で蓋部を閉状態とした際の断面説明図である。
【図１２】内視鏡洗浄消毒装置に用いる流体容器ユニットの構造説明図である。
【図１３】内視鏡洗浄消毒装置に用いる保護カバーを備えた流体容器ユニットの構造説明図である。
【発明を実施するための形態】
【０００９】
以下、図面に基づいて本発明の実施の第１形態を説明する。  
図１において、符号１は内視鏡洗浄消毒装置を示し、この内視鏡洗浄消毒装置１の主要な構成は、装置本体２と、上部にヒンジ３を介して開閉自在に接続された蓋部４である。
【００１０】
装置本体２の上面（以下「本体上面」と称する）２ａには、その底面５ａに洗浄消毒のために内視鏡９０を載置して収納自在な槽型の洗浄槽（洗浄消毒槽とも云う）５が配設されている。この洗浄槽５は、上述の蓋部４を開閉することにより開閉される。
【００１１】
そして、装置本体２の洗浄槽５に内視鏡９０を収容し、蓋部４を閉じた際に、該蓋部４と内視鏡９０とが接触することが無く、内視鏡９０が洗浄槽５内に適切に収容された場合には、後述するロック機構６を備えたラッチ７が蓋部４のハンドル８をロックして蓋部４の閉状態が維持されるようになっている。
【００１２】
逆に、蓋部４を閉じた際に、該蓋部４と内視鏡９０とが接触しており、内視鏡９０が洗浄槽５内に適切に収容されていない場合（図２参照）には、ロック機構６による蓋部４のロックが作動せず、蓋部４が上方に開状態となる、或いは、ロック機構６が作動してラッチ７が装置本２体内に押し込まれることが阻止されて蓋部４が閉じられることが防止されるようになっている。尚、装置本体２の洗浄槽５に内視鏡９０を収容し、蓋部４を閉じた際の上述の各動作については、後に詳述する。
【００１３】
また、本体上面２ａには、例えば、図８（ａ）に示すような、表示機能付きのタッチパネルで構成された操作パネル９が設けられている。尚、この操作パネル９は、装置本体２の側面や、蓋部４に設けられているものであっても良い。
【００１４】
更に、本体上面２ａには、後述する洗剤ノズル１１、消毒液ノズル１２、給水・循環ノズル１３が配設されている。
【００１５】
また、装置本体２の任意の側面には、後述する側面扉２ｂが配設されている。更に、装置本体２の下部には、洗浄槽５内の洗浄液、消毒液等を排出する排水ホース１４が連設されている。また、装置本体２には、洗浄槽５内に給水を行う後述する給水コネクタ１５（図３参照）が設けられている。
【００１６】
洗浄槽５は、本体上面２ａの開口部分の縁部が略全周に亘って段状の段状部分１６が形成されている。そして、蓋部４の内面の、この段状部分１６と対向する部分には、この段状部分１６の形状に沿って、蓋部４を閉じた際に蓋部４と洗浄槽５とを水密にシールすると共に、蓋部４を閉じる際のクッション性を保つためのパッキン部材１７が設けられている。
【００１７】
尚、蓋部４は、該蓋部４を閉じた際に洗浄槽５内が見えるように、中央の部位が透明の樹脂、ガラス材等で形成されている。
【００１８】
次に、内視鏡洗浄消毒装置１の機能部分の構成の概略について説明する。  
図３に示すように、装置本体２の内部に、洗浄水を貯留する液体洗剤を貯留する洗剤タンク２１、所定濃度に希釈された消毒液を貯留する消毒液タンク２２、アルコールを貯留するアルコールタンク２３、水道栓から供給される水道水を濾過する水フィルタ２４、及びエアフィルタ２５が配設されている。消毒液タンク２２は装置本体２内に固定されている。尚、符号２２ａは消毒液ドレーン口であり、通常は閉じられている。
【００１９】
また、洗剤タンク２１、アルコールタンク２３、水フィルタ２４、エアフィルタ２５は、各々トレー２１ａ、２３ａ〜２５ａに載置されている。また、各トレー２１ａ、２３ａ〜２５ａは、装置本体２の側面扉２ｂ（図１参照）を開放することで、側方へ引き出し自在にされており、所定に液体を補充し、或いは、部品を交換することが自在となっている。
【００２０】
本実施の形態では、消毒液タンク２２に消毒液を補充するに際しては、例えば、装置本体２の側面扉２ｂを開放し、装置内部に固設されているボトルコネクタ２６に対して、消毒液が充填されている消毒液ボトル２７を接続することで行う。
【００２１】
また、その際、希釈弁２８を介して、水フィルタ２４によって濾過された水道水が消毒液タンク２２に供給される。従って、消毒液タンク２２には所定濃度に希釈された消毒液が貯留される。尚、図３には、各トレー２１ａ、２３ａ〜２５ａが引き出された状態が示されている。
【００２２】
洗浄槽５は、前述の如く内視鏡９０を収容自在であり、底面５ａに排水口３０が設けられている。更に、洗浄槽５の外周壁面の一側面に循環口３１が設けられている。また、本体上面２ａの給水コネクタ１５が配設されている側の角部に洗剤ノズル１１、消毒液ノズル１２、給水・循環ノズル１３が配設されている。
【００２３】
洗剤ノズル１１は、洗剤タンク２１に洗剤ポンプ３７を介して連通されており、消毒液ノズル１２は、薬液ポンプ３８を介して消毒液タンク２２に連通されている。また、給水・循環ノズル１３は、三方弁３９を介して水フィルタ２４と流液ポンプ４０とに選択的に接続自在になっている。
【００２４】
給水・循環ノズル１３が、三方弁３９を介して水フィルタ２４側に接続された状態では、給水・循環ノズル１３から水フィルタ２４によって濾過された水道水が洗浄槽５に吐出される。
【００２５】
一方、給水・循環ノズル１３が、三方弁３９を介して流液ポンプ４０に接続された状態では、循環口３１から取り入れた洗浄槽５に貯留されている洗浄水、或いは、消毒液が、再度、洗浄槽５に吐出されて循環される。
【００２６】
尚、図示しないが給水・循環ノズル１３と三方弁３９との間に高圧ノズルが高圧ポンプを介して接続されており、この高圧ノズルからも給水・循環ノズル１３と同様の液体（水道水、洗浄水）が高圧で洗浄槽５に噴出される。
【００２７】
この高圧ノズル、及び、給水・循環ノズル１３から吐出される液体により洗浄槽５内に水流が発生し、この水流により内視鏡９０の外表面が、洗浄工程においては洗浄され、すすぎ工程においては洗浄液、或いは、消毒液が洗い流される。
【００２８】
洗浄槽５の外周壁面の他側面に、内視鏡９０に設けた図示しない管路コネクタ部に接続するコネクタ受け部４１が設けられている。コネクタ受け部４１に、１本の洗浄消毒チューブ５１ａが分岐接続されており、この洗浄消毒チューブ５１ａが四方弁から成るチャンネルブロック５２の吐出口に連通されている。
【００２９】
また、チャンネルブロック５２の３つに分岐された各流入口には、循環口３１とアルコールタンク２３とコンプレッサ５４とが各々連通されている。また、循環口３１とチャンネルブロック５２との間に、循環口３１から流体（水道水、洗浄水、消毒液）を吸引するチャンネルポンプ５３が介装されている。
【００３０】
更に、アルコールタンク２３とチャンネルブロック５２との間に、流路を開閉するアルコール弁５５、アルコールタンク２３に貯留されているアルコールを吸引するアルコールポンプ４５が介装されている。また、コンプレッサ５４とチャンネルブロック５２との間にエアフィルタ２５が介装されている。
【００３１】
チャンネルブロック５２を切換え動作させて、各流入口を吐出口に対し選択的に連通させることで、内視鏡９０に、洗浄槽５に貯留されている液体（水道水、洗浄水、消毒液）、或いは、アルコールタンク２３に貯留されているアルコール、或いは、コンプレッサ５４からのエアが供給される。
【００３２】
また、コネクタ受け部４１に、漏水検知チューブ５１ｂを介して漏水検知ポンプ５６が接続されており、この漏水検知チューブ５１ｂに締切り弁５７が介装されている。内視鏡９０の外表面に小さな孔、亀裂等が開いているか否かを検知するに際しては、先ず、締切り弁５７を開放し、漏水検知ポンプ５６からのエアを内視鏡９０の内部に供給し、内圧を所定に高める。
【００３３】
その後、締切り弁５７を閉弁させて、内視鏡９０の内圧を保持させる。そして、その間の内視鏡９０の内圧の変化から、内視鏡９０の外表面に小さな孔、亀裂等が開いているか否かを調べる。尚、符号５８は排気弁であり開弁することで、漏水検知ポンプ５６及びコンプレッサ５４からのエアを外部に逃がすことができる。
【００３４】
また、洗浄槽５に、超音波振動子５９、吸水管消毒用コネクタ６０、洗浄ケース６１等が所定に配設され、更に、排水口３０に切換弁６２が配設されている。超音波振動子５９は、洗浄槽５に貯留される洗浄水、あるいは水道水に振動を与えて、内視鏡９０の外表面を超音波洗浄、或いは、濯ぐものである。
【００３５】
吸水管消毒用コネクタ６０は、これに消毒液ノズル１２をホース等を介して接続し、水フィルタ２４に連通する給水管に消毒液を供給し、この給水管を消毒するものである。また、洗浄ケース６１は、これに内視鏡９０の各スコープスイッチのボタン等、内視鏡９０に併設されている取り外し可能な部品を収容して、内視鏡９０と一緒に洗浄、消毒させるものである。
【００３６】
更に、排水口３０に配設されている切換弁６２は、排水時の排水路を切換えるもので、洗浄槽５に水道水あるいは洗浄水が貯留されている場合は、排水口３０を排水ホース１４側に連通させて、排水ポンプ４４を駆動させて、強制的に排水させる。
【００３７】
一方、洗浄槽５に消毒液が貯留されている場合は、排水口３０を消毒液タンク２２側に連通させて、消毒済みの消毒液を消毒液タンク２２に回収する。従って、消毒液は繰り返し利用される。
【００３８】
各弁３９、５２、５５、６２の切換え動作及び各種ポンプ３７、３８、４０、５３、５６の動作は、装置本体２に内蔵されている制御回路６３にて制御される。
【００３９】
この制御回路６３には、図３、４に示すように、後述する洗浄槽５に配置した内視鏡９０が蓋部４の内面に接触していることを検知する接触検知部としての接触センサ１１１や、内視鏡９０の内圧を検出する圧力センサ、洗浄槽５の水位を検出する水位センサ、洗浄槽５に収納された内視鏡９０の位置を検出する位置検知センサ、内視鏡９０の水漏れを検知する水漏れセンサ等の他の各センサ類１１２を含むセンサ系１１０が接続されている。
【００４０】
また、制御回路６３には、各種ポンプ３７、３８、４０、５３、５６、及び、各弁３９、５２、５５、６２、及び、前述のロック機構６等の駆動系１２０、操作パネル９、電源部１３０等が接続されている。電力供給手段である電源部１３０は、ＡＣコンセントと接続されており、外部からの電力を制御回路６３、及び、その他の回路に供給する。尚、センサ系１１０は、駆動系１２０を兼ねていてもよい。
【００４１】
尚、実際には、制御回路６３に、内視鏡９０とデータを無線通信するための送受信アンテナを有する送受信ユニット、内視鏡９０に設けた図示しない管路コネクタ部に接続するコネクタ受け部を有する電源送受信ユニット、内視鏡９０を洗浄消毒槽５に固定するための電磁石ユニット等が接続されているが、周知であるため、その詳しい説明は省略する。
【００４２】
次に、内視鏡洗浄消毒装置１の、装置本体２上部の洗浄槽５、及び、蓋部４周辺の構成と、接触センサ１１１による内視鏡９０と蓋部４との接触検知システムについて詳しく説明する。
【００４３】
図５は、蓋部４を開状態とした際の装置本体２上部の洗浄槽５部分と蓋部４の構造の概略を示し、装置本体２上部にヒンジ３を介して開閉自在に設けられた蓋部４は、所定の大きな角度で開くことが可能となっている。そして、蓋部４を一定角度以上開けると、開く方向に弱い付勢力が作用して、開いた状態を維持し、洗浄槽５内に内視鏡９０が容易に載置自在となっている。この付勢力は、蓋部４を一定角度よりも閉じた場合には、閉じる方向に弱く作用して、蓋部４の閉じた状態を維持するようになっている。
【００４４】
また、蓋部４が開けられた状態では、蓋部４のハンドル８に対応して設けられたラッチ７は外側に向けて先端が突出した状態となっている。すなわち、図６に示すように、装置本体２上部の洗浄槽５部分に設けられるロック機構６は、ラッチ７が、電磁ロックスイッチ６ａから突出されたロッド６ｂにより、常時、外側に向けて押圧付勢されて、ラッチ７の先端が突出されている。
【００４５】
そして、この蓋部４が開いた状態から、図７（ａ）に示すように、蓋部４を閉じようとすると、蓋部４のハンドル８の移動により、ラッチ７が付勢力に抗して内側に押し込まれ、ハンドル８の先端側に形成された孔部８ａがラッチ７の略先端に達した際に、再びラッチ７は、このハンドル８の孔部８ａから外側に向けて突出する。そして、制御回路６３により、電磁ロックスイッチ６ａが作動されてロッド６ｂが固定されてラッチ７の先端がハンドル８の孔部８ａから外側に向けて突出された状態で固定されてハンドル８がロックされ、蓋部４の閉じた状態が確実に維持されるようになっている。
【００４６】
また、蓋部４のハンドル８とパッキン部材１７との間の下面４ａと対向する、洗浄槽５の縁部の上面部位には、上記下面４ａと接触自在で、洗浄槽５と蓋部４との接触圧を検知する接触圧検知部が接触センサ１１１として設けられている。
【００４７】
そして、図５に示すような、蓋部４が開いた状態から、図１に示すように、内視鏡９０を洗浄槽５に載置して蓋部４を閉め、載置した内視鏡９０と蓋部４との内面が接触していない状態では、図７（ａ）に示すように、接触センサ１１１には、蓋部４の自重や、蓋部４の閉状態を維持させようとする付勢力等が作用して、これらの合計値が洗浄槽５と蓋部４との接触圧Ｆa1として検出されることになる。
【００４８】
これに対し、図２に示すように、内視鏡９０を洗浄槽５に載置して蓋部４を閉め、載置した内視鏡９０と蓋部４との内面が接触した状態では、図７（ｂ）に示すように、接触センサ１１１には、上述の接触圧Ｆa1に加え、該接触圧Ｆa1とは反対方向（蓋部４を開けようとする方向）の力Ｆb1が作用することになる。すなわち、接触センサ１１１で検出される圧力は、（Ｆa1−Ｆb1）となり、Ｆa1より小さな圧力値となる。
【００４９】
従って、制御回路６３は、接触センサ１１１で検出した接触圧力が、設定圧（予め実験、計算等により誤差等も考慮して設定しておいた接触圧Ｆa1よりも低い圧力）以下となる時間が、例えば、設定時間継続して検出される場合に、洗浄槽５に配置した内視鏡９０が蓋部４の内面に接触していると判断するようになっている。
【００５０】
尚、接触センサ１１１は、蓋部４のハンドル８とパッキン部材１７との間の下面４ａと対向する、洗浄槽５の縁部の上面部位の１カ所にのみ取り付けた例を説明しているが、他の蓋部４と洗浄槽５との接触する部位に設けても良く、又は、複数箇所設けるようにしても良い。特に、複数箇所設けるようにすれば、洗浄槽５と蓋部４との各部位の接触圧を検知することができるため、蓋部４と洗浄槽５との接触を、より精度良く検知することができ、更に、検知した接触センサの位置から、接触部位のおおまかな位置を特定することも可能である。
【００５１】
こうして、制御回路６３が、接触センサ１１１からの信号に基づいて内視鏡９０と蓋部４との接触を判断した場合は、上述の図６に示すロック機構６において、ラッチ７が押し込まれていない状態においては、電磁ロックスイッチ６ａを作動させてロッド６ｂを固定して、ラッチ７が中に押し込まれることを禁止し、蓋部４のハンドル８が下降されることを防止して蓋部４が閉じられることを防止するようになっている。すなわち、制御回路６３が洗浄槽５に配置した内視鏡９０が蓋部４の内面に接触していると判断した場合、ロック機構６を作動させて、内視鏡９０と蓋部４とが接触したまま洗浄槽５内に収納されることが未然に防止される。
【００５２】
また、既に、ラッチ７が押し込まれていた状態においては、電磁ロックスイッチ６ａは作動されずに、蓋部４のハンドル８がロックされることが禁止されるようになっている。すなわち、内視鏡９０と蓋部４とが接触したまま洗浄槽５内に収納されてロックされることが確実に防止されるようになっている。
【００５３】
また、制御回路６３が、接触センサ１１１からの信号に基づいて内視鏡９０と蓋部４との接触を判断した場合は、ユーザーに対して、例えば、以下のようにして、内視鏡９０と蓋部４との接触を報知する。
【００５４】
例えば、本実施の第１形態による表示機能付きのタッチパネルで構成された操作パネル９は、図８（ａ）に示すように、メイン画面では、例えば、薬液が何回使用されているか等の消耗品情報の表示や、内視鏡９０と無線通信して得たスコープＩＤの表示、洗浄槽５に収容された内視鏡９０の漏水検知の実施有無の表示や、スタート指示ボタンの表示、各種工程内容の表示、洗浄消毒工程開始後の経過時間の表示、洗浄消毒工程後、内視鏡管路内の乾燥を促進させるアルコール注入の実施有無を指示するアルコールフラッシュ（ＡＦ）ボタンの表示等が行われる。このようなメイン画面で、制御回路６３が、接触センサ１１１からの信号に基づいて内視鏡９０と蓋部４との接触を判断した場合、図８（ｂ）に示すように、異常コード（例えば、「Ｅｒｒｏｒ  Ｃｏｄｅ  ８８８８」）を大きく表示してユーザーに報知する。
【００５５】
また、例えば、接触センサ１１１が複数設けられており、検知した接触センサの位置から、接触部位のおおまかな位置を特定することが可能な場合は、図８（ｃ）に示すように、メイン画面からサブ画面に遷移して、内視鏡９０と蓋部４との接触部位を交互に表示するようにしても良い。尚、このような操作パネル９は、あくまでのその一例にすぎず、他の表示の仕方で、ユーザーに報知するようにしても良い。すなわち、操作パネル９は、報知手段として設けられている。
【００５６】
更に、制御回路６３が、接触センサ１１１からの信号に基づいて内視鏡９０と蓋部４との接触を判断した場合は、予め備えたブザーや音声発生装置等の聴覚的な報知手段を作動させて、ユーザーに対して報知するようにしても良い。
【００５７】
また、制御回路６３が、接触センサ１１１からの信号に基づいて内視鏡９０と蓋部４との接触を判断した場合は、接触との判断が解除されるまでは、ユーザーの洗浄消毒工程開始の操作を受け付けないようにしても良い。
【００５８】
このように、本発明の実施の第１形態による内視鏡洗浄消毒装置１によれば、洗浄槽５と蓋部４との接触圧を検知する接触圧検知部を接触センサ１１１として設け、制御回路６３は、例えば、接触センサ１１１で検出した接触圧力が、設定圧以下となる時間が、設定時間継続して検出される場合に、洗浄槽５に配置した内視鏡９０が蓋部４の内面に接触していると判断するようになっている。このため、接触センサ１１１からの信号により、制御回路６３が、内視鏡９０と蓋部４とが接触していると判断した場合は、操作パネル９上に内視鏡９０と蓋部４との接触を報知する表示を行ったり、又は、聴覚的な報知手段を作動させることにより、ユーザーが洗浄槽５内の内視鏡９０と蓋部４との接触を容易に知ることができる。このため、内視鏡９０と蓋部４とが接触した状態で洗浄槽５内に内視鏡９０が収納されてしまうことが確実に防止され、内視鏡９０や内視鏡洗浄消毒装置１側に不要な力が作用することもなく、内視鏡９０を洗浄槽５内に接液して、十分な洗浄消毒を行うことが可能となる。
【００５９】
尚、本発明の実施の第１形態では、接触センサ１１１からの信号に基づいて、制御回路６３が内視鏡９０と蓋部４との接触を判断した場合には、ロック機構６の作動による蓋部４のロック制御の制限と、操作パネル９での表示、聴覚的な報知手段による報知等を行うように説明したが、これらは、全ての機能を行う事無く、それらの内の一つ、或いは、それらの内の幾つかを組み合わせて行うようにしても良い。また、これら、表示、聴覚的な報知手段、ロック機構の構成は、本実施の形態で説明した構成のものに限るものでは無く、他の公知の構成であっても良いことは云うまでもない。
【００６０】
次に、図９に基づいて、本発明の実施の第２形態を説明する。尚、本実施の第２形態は、前述の第１形態とは、接触センサ１１１の構成のみが異なり、他の構成、作用効果は同一であるので、同じ構成には同じ符号を記し、詳しい説明は省略する。
【００６１】
すなわち、図９（ａ）に示すように、蓋部４のパッキン部材１７の内側の対向する部位には、蓋部４の内面の直下部で、赤外線やレーザー光等の電磁波を送信する発光素子等で構成した電磁波送信部１５１と、該電磁波送信部１５１から発信された電磁波を受信する受光素子等で構成した電磁波受信部１５２とが設けられ、この電磁波送信部１５１と電磁波受信部１５２とで接触センサ１１１が構成されている。
【００６２】
そして、蓋部４が開いた状態から、図１に示すように、内視鏡９０を洗浄槽５に載置して蓋部４を閉め、載置した内視鏡９０と蓋部４との内面が接触していない状態では、図９（ａ）に示すように、電磁波送信部１５１からの電磁波は電磁波受信部１５２に到達して電磁波受信部１５２が電磁波を検知する。
【００６３】
これに対し、図２に示すように、内視鏡９０を洗浄槽５に載置して蓋部４を閉め、載置した内視鏡９０と蓋部４との内面が接触した状態では、図９（ｂ）に示すように、電磁波送信部１５１からの電磁波は内視鏡９０により遮断され、電磁波受信部１５２に到達することがない。従って、制御回路６３は、電磁波受信部１５２での電磁波の非検出が生じた場合に、洗浄槽５に配置した内視鏡９０が蓋部４の内面に接触していると判断するようになっている。
【００６４】
そして、制御回路６３は、洗浄槽５に配置した内視鏡９０が蓋部４の内面に接触していると判断した場合には、前述の第１形態と同様、ロック機構６の作動による蓋部４のロック制御の制限と、操作パネル９での表示、聴覚的な報知手段による報知等を行う。これらは、前述の第１形態と同様、全ての機能を行う事無く、それらの内の一つ、或いは、それらの内の幾つかを組み合わせて行うようにしても良い。
【００６５】
このように接触センサ１１１を、電磁波送信部１５１と電磁波受信部１５２とで構成することにより、本実施の第２形態による内視鏡洗浄消毒装置１によっても、前述の第１形態で説明した効果と略同様の効果を奏することが可能である。
【００６６】
尚、本実施の第２形態による電磁波送信部１５１と電磁波受信部１５２は、複数対設けるようにし、それぞれの電磁波送信部１５１と電磁波受信部１５２対毎に内視鏡９０が蓋部４の内面に接触していることが検出できるようにして、蓋部４と洗浄槽５との接触を、より精度良く検知して、また、接触を検知した電磁波送信部１５１と電磁波受信部１５２対の位置から、接触部位のおおまかな位置を特定できるようにしても良い。
【００６７】
また、電磁波送信部１５１と電磁波受信部１５２対とを設ける位置は、蓋部４の内面の直下部で、電磁波が直接送受信できる位置であればどのようなであっても良く、例えば、前後（奥行き）方向で電磁波が直接送受信できる位置に設けても良く、幅方向で電磁波が直接送受信できる位置に設けても良く、或いは、右（左）から左（右）の斜め方向で電磁波が直接送受信できる位置に設けても良い。
【００６８】
更に、本実施の第２形態では、電磁波送信部１５１と電磁波受信部１５２は、共に蓋部４側に設けた例で説明したが、共に洗浄槽５側に設けるようにしても良く、或いは、どちらか一方を蓋部側４側に設け、他方を洗浄槽５側に設けるようにしても良い。
【００６９】
次に、図１０に基づいて、本発明の実施の第３形態を説明する。尚、本実施の第３形態は、前述の第１形態とは、接触センサ１１１の構成のみが異なり、他の構成、作用効果は同一であるので、同じ構成には同じ符号を記し、詳しい説明は省略する。
【００７０】
すなわち、図１０（ａ）に示すように、蓋部４の上面の全面には、該蓋部４の歪みを検知する歪み検知部１６１が設けられている。
【００７１】
そして、蓋部４が開いた状態から、図１に示すように、内視鏡９０を洗浄槽５に載置して蓋部４を閉め、載置した内視鏡９０と蓋部４との内面が接触していない状態では、図１０（ａ）に示すように、歪み検知部１６１は、蓋部４に生じる歪みを検出することはない。
【００７２】
これに対し、図２に示すように、内視鏡９０を洗浄槽５に載置して蓋部４を閉め、載置した内視鏡９０と蓋部４との内面が接触した状態では、図１０（ｂ）に示すように、蓋部４と内視鏡９０の接触面に応力が作用して蓋部４に歪みが生じる。すると、歪み検知部１６１は、この歪みを検出して、この信号により、制御回路６３は、洗浄槽５に配置した内視鏡９０が蓋部４の内面に接触していると判断するようになっている。
【００７３】
そして、制御回路６３は、洗浄槽５に配置した内視鏡９０が蓋部４の内面に接触していると判断した場合には、前述の第１形態と同様、ロック機構６の作動による蓋部４のロック制御の制限と、操作パネル９での表示、聴覚的な報知手段による報知等を行う。これらは、前述の第１形態と同様、全ての機能を行う事無く、それらの内の一つ、或いは、それらの内の幾つかを組み合わせて行うようにしても良い。
【００７４】
このように接触センサ１１１を、歪み検知部１６１で構成することにより、本実施の第３形態による内視鏡洗浄消毒装置１によっても、前述の第１形態で説明した効果と略同様の効果を奏することが可能である。
【００７５】
尚、歪み検知部１６１は、蓋部４の全面に大きな歪み検知部として設けるものではなく、蓋部４に複数に分割して設け、それぞれの歪み検知部毎に内視鏡９０が蓋部４の内面に接触していることが検出できるようにして、蓋部４と洗浄槽５との接触を、より精度良く検知して、また、接触を検知した歪み検知部の位置から、接触部位のおおまかな位置を特定できるようにしても良い。
【００７６】
また、歪み検知部１６１は、蓋部４の上面ではなく、蓋部４の下面や、蓋部４の内部に埋設するようにしても良い。
【００７７】
次に、図１１に基づいて、本発明の実施の第４形態を説明する。尚、本実施の第４形態は、前述の第１形態とは、接触センサ１１１の構成のみが異なり、他の構成、作用効果は同一であるので、同じ構成には同じ符号を記し、詳しい説明は省略する。
【００７８】
すなわち、図１１（ａ）に示すように、蓋部４の下面の全面には、該蓋部４の下面に加えられた圧力を検知するタッチパッド状の圧力検知部１７１が設けられている。
【００７９】
そして、蓋部４が開いた状態から、図１に示すように、内視鏡９０を洗浄槽５に載置して蓋部４を閉め、載置した内視鏡９０と蓋部４との内面が接触していない状態では、図１１（ａ）に示すように、圧力検知部１７１は、圧力を検知することはない。
【００８０】
これに対し、図２に示すように、内視鏡９０を洗浄槽５に載置して蓋部４を閉め、載置した内視鏡９０と蓋部４との内面が接触した状態では、図１１（ｂ）に示すように、蓋部４と内視鏡９０の接触面（圧力検知部１７１）に圧力が作用して、圧力検知部１７１からこの圧力値が出力されることになる。制御回路６３は、この圧力値の信号により、洗浄槽５に配置した内視鏡９０が蓋部４の内面に接触していると判断するようになっている。
【００８１】
そして、制御回路６３は、洗浄槽５に配置した内視鏡９０が蓋部４の内面に接触していると判断した場合には、前述の第１形態と同様、ロック機構６の作動による蓋部４のロック制御の制限と、操作パネル９での表示、聴覚的な報知手段による報知等を行う。これらは、前述の第１形態と同様、全ての機能を行う事無く、それらの内の一つ、或いは、それらの内の幾つかを組み合わせて行うようにしても良い。
【００８２】
このように接触センサ１１１を、圧力検知部１７１で構成することにより、本実施の第４形態による内視鏡洗浄消毒装置１によっても、前述の第１形態で説明した効果と略同様の効果を奏することが可能である。
【００８３】
次に、内視鏡洗浄消毒装置１で用いられる流体容器ユニットについて、図１２、及び、図１３を基に説明する。すなわち、上述の実施の各形態で例示するような内視鏡洗浄消毒装置１の中には、消毒液ボトル２７を蓋部４等に直接セットして用いるタイプのものがある。このようなタイプの内視鏡洗浄消毒装置１に用いられる消毒液ボトル２７の流体容器ユニット２０１としては、例えば、本出願人が、特許第４５５９５４０号で提案するものがある。この流体容器ユニット２０１は、図１２に示すように、種類の異なる流体をそれぞれ貯留する第１容器２１０Ａと第２容器２１０Ｂとを、各容器２１０Ａ，２１０Ｂの長手方向（図１２における上下方向）の中心線が実質的に平行となるように並列配置した状態で、一体的に組み立ててユニット化して構成されている。
【００８４】
この流体容器ユニット２０１の第１容器２１０Ａ，第２容器２１０Ｂには、内視鏡９０の消毒処理に用いる消毒液の第１剤（例えば、原液），第２剤（例えば、安定剤）がそれぞれ貯えられている。これら第１剤，第２剤は、混合することによって適切な消毒・殺菌力を発現するものであり、十分に混合させた状態で用いられる。
【００８５】
そして、流体容器ユニット２０１は、保管時や輸送時を含む非使用時には、通常、各容器２１０Ａ，２１０Ｂの底面２１９を下方にノズル筒部２３１の先端を上方に向けて置かれる（図１２（ａ）、及び、図１２（ｂ）参照）。一方、使用時、内視鏡洗浄消毒装置１に取り付ける際には、ノズル筒部２３１の先端が下方に向けられるように上下を逆向きにして（図１２（ｃ）参照）、或いは、ノズル筒部２３１の先端を斜め下方に向けて、用いられる
より具体的には、この流体容器ユニット２０１は、第１容器２１０Ａの一端側に位置する第１給排口２１６と第２容器２１０Ｂの一端側に位置する第２給排口２１６とを連結する容器連結具２２０と、ノズル筒部２３１を有する単一のノズル部材２３０とを備えている。また、この流体容器ユニット２０１は、一端側にノズル部材２３０の基部２３４を保持し、他端側が容器連結具２２０の外周部に嵌合して、容器連結具２２０の一側を覆う連結キャップ２４０と、第１給排口２１６及び前記第２給排口２１６にそれぞれ対向する一対の押圧子２５８を備え、連結キャップ２４０内にてノズル筒部２３１の長手軸に沿った方向に移動可能に保持される中間アダプタ２５０とを備えている。更に、この流体容器ユニット２０１は、中間アダプタ２５０を容器連結具２２０側へ移動させ、一対の押圧子２５８により第１給排口２１６及び第２給排口２１６を開栓する（開栓シール２１８を開栓する）給排口開栓機構を備えて構成されている。
【００８６】
そして、この構成において、図１２（ｃ）に示すように、流体容器ユニット２０１を、ノズル筒部２３１を下に向けた状態で、内視鏡洗浄消毒装置１の所定の位置に取り付けた状態で、中間アダプタ２５０が連結キャップ２４０内にてノズル筒部２３１の長手軸に沿って容器連結具２２０側に移動することで、中間アダプタ２５０に設けた一対の押圧子２５８により第１給排口２１６及び第２給排口２１６が開栓されて、第１容器２１０Ａ及び第２容器２１０Ｂ内の流体が同時に排出され、混合状態で内視鏡洗浄消毒装置１に流入されるようになっている。
【００８７】
このような、構成の流体容器ユニット２０１とすることで、第１容器２１０Ａの一端側に位置する第１給排口２１６と第２容器２１０Ｂの一端側に位置する第２給排口２１６とを容器連結具２２０で連結したことにより、第１容器２１０Ａと第２容器２１０Ｂとを堅固に一体化して組み立てることができる。また、給排口開栓機構を設けたことにより、連結キャップ２４０内にて中間アダプタ２５０をノズル筒部２３１の長手軸に沿って容器連結具２２０側に移動させて、中間アダプタ２５０に設けた一対の押圧子２５８で第１給排口２１６及び第２給排口２１６を開栓させ、第１容器２１０Ａ及び第２容器２１０Ｂ内の流体を同時に排出させて内視鏡洗浄消毒装置１へ注入することができる。更に、流体容器ユニット２０１の一端側（注入側）には単一のノズル部材２３０が設けられているだけであり、この単一のノズル部材２３０を介して第１容器２１０Ａ及び第２容器２１０Ｂ内の流体が内視鏡洗浄消毒装置１へ注入されるので、２つの注ぎ口が並んでいる場合に比して、内視鏡洗浄消毒装置１への取付作業をより簡単かつ迅速に行えるようになり、その作業性が大いに向上する。また更に、第１給排口２１０Ａ及び第２給排口２１０Ｂから同時に排出された第１容器及２１０Ａび第２容器２１０Ｂ内の流体は、単一のノズル部材２３０を介して送出される過程で混合され、この混合状態で内視鏡洗浄消毒装置１へ注入されるので、より良好な混合状態を得ることも可能になる。また更に、流体容器ユニット２０１の注入側には単一のノズル部材２３０が設けられているだけであるので、内視鏡洗浄消毒装置１もこの単一のノズルを受け合うだけでよく、２つの注ぎ口を受け合う場合に比して、内視鏡洗浄消毒装置１の注入部をよりコンパクトにすることができる。
【００８８】
しかしながら、このような優れた効果を奏する流体容器ユニット２０１であっても、先端の単一のノズル部材２３０が突出した形状となっているため、ユーザーが、ノズル部材２３０側を床面側にして、流体容器ユニット２０１を誤って落下させてしまった際には、ノズル部材２３０により中間アダプタ２５０が押し込まれて、一対の押圧子２５８が開栓して、第１容器２１０Ａ及び第２容器２１０Ｂ内の流体が漏れてしまう虞がある。
【００８９】
このような課題を解決するために、図１３に示すように、ノズル部材２３０を保護する保護カバー２７０を設けるようにした。
【００９０】
この保護カバー２７０は、円筒状に形成されており、流体容器ユニット２０１の連結キャップ２４０の中央段部２４０ａに装着自在で、該中央段部２４０ａに装着した状態での高さが、ノズル部材２３０のノズル筒部２３１の先端位置よりも所定以上高くなるような長さに形成されている。
【００９１】
そして、保護カバー２７０は、その内径が連結キャップ２４０の中央段部２４０ａの外径よりも僅かに小さく形成されて、ユーザーが消毒液を調合する直前に、簡単に取り外すことが自在な嵌め込み式の寸法に形成されている。
【００９２】
このような保護カバー２７０を採用することにより、たとえ、ユーザーが、ノズル部材２３０側を床面側にして、流体容器ユニット２０１を誤って落下させてしまったとしても、保護カバー２７０が床面にあたるのみで、ノズル部材２３０が押し込まれることがなく、流体の漏れが確実に防止される。このため、流体容器ユニット２０１の取り扱いが、一層、容易なものとなる。
【符号の説明】
【００９３】
１    内視鏡洗浄消毒装置
２    装置本体
４    蓋部
５    洗浄槽
５ａ  底面
６    ロック機構
６ａ  電磁ロックスイッチ
７    ラッチ
８    ハンドル
８ａ  孔部
９    操作パネル（報知手段）
１１    洗剤ノズル
１２    消毒液ノズル（薬液供給部）
１３    給水・循環ノズル
１７    パッキン部材
２１    洗剤タンク
２２    消毒液タンク（薬液供給部）
２６    ボトルコネクタ
２７    消毒液ボトル
３０    排水口
３１    循環口
３７    洗剤ポンプ
３８    薬液ポンプ（薬液供給部）
６３    制御回路
９０    内視鏡
１１０    センサ系
１１１    接触センサ（接触圧検知部、接触検知部）
１１２    各センサ類
１２０    駆動系
１３０    電源部
１５１    電磁波送信部（接触検知部）
１５２    電磁波受信部（接触検知部）
１６１    歪み検知部（接触検知部）
１７１    圧力検知部（接触検知部）
【図１】
2013103017.tif 000003
【図２】
2013103017.tif 000004
【図３】
2013103017.tif 000005
【図４】
2013103017.tif 000006
【図５】
2013103017.tif 000007
【図６】
2013103017.tif 000008
【図７】
2013103017.tif 000009
【図８】
2013103017.tif 000010
【図９】
2013103017.tif 000011
【図１０】
2013103017.tif 000012
【図１１】
2013103017.tif 000013
【図１２】
2013103017.tif 000014
【図１３】
2013103017.tif 000015